(57)【要約】      （修正有）【課題】資源保護に有益でありながら、贈呈用として気の効いたデザインのカレンダーを提供する。【解決手段】カレンダー用紙部１とその一端部を固定した綴じ代部２とからなる。カレンダー用紙部は複数枚のカレンダー用紙からなる。カレンダー用紙部の裏面には、リボン３や水引きなどの贈呈表示デザインが付されている。カレンダーを巻き取った状態にすると、その表面に贈呈表示デザインが表われるので、贈呈品としての体裁を表わすことができる。しかも、余分な資材を使っていないので、資源保護になる。【選択図】図１
0003209491.tif 000002
【実用新案登録請求の範囲】
【請求項１】
カレンダー用紙部１とその一端部を固定した綴じ代部２とからなる。カレンダー用紙部１は複数枚のカレンダー用紙からなる
前記カレンダー用紙部の裏面には、贈呈表示デザインが付されている
ことを特徴とするカレンダー。
【請求項２】
前記贈呈表示デザインが、リボンを表示するものである
ことを特徴とする請求項１記載のカレンダー。
【請求項３】
前記贈呈表示デザインが、水引きを表示するものである
ことを特徴とする請求項２記載のカレンダー。
【考案の詳細な説明】
【技術分野】
【０００１】
本考案は、カレンダーに関する。さらに詳しくは、年末の贈呈用に適したデザインのカレンダーに関する。
【背景技術】
【０００２】
従来の贈呈用のカレンダーとして、特許文献１のものがある。
この従来技術は、歳暮用のプレミアム飾り付カレンダーを提供することを目的とするもので、縁起物ミニチュア品としてのミニチュア角樽の前面に穿設された額縁状の空隙部にミニチュアカレンダーが載置され、天部に穿設された孔部に小型の水引飾りが備えられている角樽形状の飾り付カレンダーである。
【０００３】
しかるに、上記カレンダーにおける角樽部分や水引き飾りは、新年が終るとゴミになるものであって、資源保護に反するという問題がある。
【先行技術文献】
【特許文献】
【０００４】
【特許文献１】特開２００４−１７５６０号公報
【考案の概要】
【考案が解決しようとする課題】
【０００５】
本考案は上記事情に鑑み、資源保護に有益でありながら、贈呈用として気の効いたデザインのカレンダーを提供することを目的とする。
【課題を解決するための手段】
【０００６】
第１考案のカレンダーは、カレンダー用紙部１とその一端部を固定した綴じ代部２とからなる。カレンダー用紙部１は複数枚のカレンダー用紙からなる前記カレンダー用紙部の裏面には、贈呈表示デザインが付されていることを特徴とする。
第２考案のカレンダーは、第１考案において、前記贈呈表示デザインが、リボンを表示するものであることを特徴とする。
第３考案のカレンダーは、第２考案において、前記贈呈表示デザインが、水引きを表示するものであることを特徴とする。
【考案の効果】
【０００７】
第１考案によれば、カレンダーを巻き取った状態にすると、その表面に贈呈表示デザインが表われるので、贈呈品としての体裁を表わすことができる。しかも、余分な資材を使っていないので、資源保護になる。
第２考案によれば、巻き取った状態のカレンダーの表面にリボンを結んだ表示が表われるので、日常良く使うデザインによる贈呈意図を表すことができる。
第３考案によれば、巻き取った状態のカレンダーの表面に水引きを結んだ表示が表われるので、伝統的なデザインによる贈呈意図を表すことができる。
【図面の簡単な説明】
【０００８】
【図１】本考案の第１実施形態に係るカレンダーの巻き取った状態を示す斜視図である。
【図２】図１のカレンダーの図であって、（Ａ）は正面図、（Ｂ）は背面図である。
【図３】図１のカレンダーの側面図である。
【図４】本考案の第２実施形態に係るカレンダーの巻き取った状態を示す斜視図である。
【図５】図４のカレンダーの図であって、（Ａ）は正面図、（Ｂ）は背面図である。
【考案を実施するための形態】
【０００９】
つぎに、本考案の実施形態を図面に基づき説明する。
（第１実施形態）
本実施形態のカレンダーＡは、図３に示すように、カレンダー用紙部１とその一端部を固定した綴じ代部２とからなる。カレンダー用紙部１は複数枚のカレンダー用紙からなる。
【００１０】
図では、６枚のカレンダー用紙１ａ〜１ｆを用いたものを示しているが、１２枚のものでもよく、また、３枚や４枚のものであってもよく、カレンダー用紙の枚数には制限がない。
【００１１】
図２（Ａ）は表面のカレンダー用紙１ａを示している。カレンダー用紙部１の各カレンダー用紙１ａ〜１ｆには、月毎の日付を記載する日付部や、絵画その他の図案などが印刷されている。これらの日付部や絵画等のデザインには全く制約がなく、カレンダーとしての用が足りるものであればよい。
【００１２】
図２（Ｂ）は裏側のカレンダー用紙１ｆを示している。カレンダー用紙部１の最も裏側のカレンダー用紙１ｆの裏面は、通常は真白で、特別な背景は抽かない。しかし、多少の背景デザイン等が入っていてもよい。
【００１３】
そして、このカレンダー用紙１ｆの裏面には、贈呈表示デザインが付される。図示の贈呈表示デザインは、洋風のリボン３である。このリボン３は紐３ａと結び目３ｂとからなる。紐３ａはカレンダーＡを巻き取ったとき周長方向に延びるように位置している。
【００１４】
カレンダーＡを巻き取る際は、綴じ代２を内側にしてカレンダー用紙１ａ〜１ｆの裏側を表にして巻き付けていく。巻き取った状態では図１に示すように、カレンダー用紙部１の裏面にリボン３が現われ、あたかも丸まったカレンダーにリボン３を巻き付けているかのように見える。
このように、巻き取った状態のカレンダーＡの表面にリボンを結んだ表示が表われるので、日常良く使うデザインたるリボンによって心のこもった贈呈意図を表すことができる。
【００１５】
（第２実施形態）
第２実施形態のカレンダーＢでは、カレンダー用紙部１の裏面には水引を用いた贈呈表示デザイン３が付されている。第２実施形態のカレンダーＢは贈呈表示デザインが水引き５である以外は、第１実施形態のカレンダーと実質同一の構成である。
【００１６】
図５に示すように、水引き５のデザインは、帯５ａと結び目５ｂと熨斗５ｃとからなる。熨斗５ｃは有るものも無いものも本考案に含まれる。
【００１７】
第２実施形態のカレンダーＢにおいても、巻き取った状態では図４に示すように、カレンダーＢの中央部に水引５を巻いているように見える。
【００１８】
このように、巻き取った状態のカレンダーＢの表面に水引き５を結んだ表示が表われるので、伝統的なデザインたる水引きによって贈呈意図を表すことができる。
【００１９】
本考案によれば、カレンダーを巻き取った状態にすると、その表面にリボン３や水引き５からなる贈呈表示デザインが表われるので、贈呈品としての体裁を表わすことができる。しかも、巻き取るだけでよく余分な資材を使っていないので、資源保護になる。
【符号の説明】
【００２０】
１  カレンダー用紙部
２  綴じ代
３  リボン
５  水引き
【図１】
0003209491.tif 000003
【図２】
0003209491.tif 000004
【図３】
0003209491.tif 000005
【図４】
0003209491.tif 000006
【図５】
0003209491.tif 000007
【手続補正書】
【提出日】平成29年1月17日(2017.1.17)
【手続補正１】
【補正対象書類名】実用新案登録請求の範囲
【補正対象項目名】全文
【補正方法】変更
【補正の内容】
【実用新案登録請求の範囲】
【請求項１】
カレンダー用紙部と、その一端部を固定した綴じ代部２とからなり、前記カレンダー用紙部は複数枚のカレンダー用紙からなり、
前記カレンダー用紙部の裏面には、贈呈表示デザインが付されている
ことを特徴とするカレンダー。
【請求項２】
前記贈呈表示デザインが、リボンを表示するものである
ことを特徴とする請求項１記載のカレンダー。
【請求項３】
前記贈呈表示デザインが、水引きを表示するものである
ことを特徴とする請求項１記載のカレンダー。
【手続補正２】
【補正対象書類名】明細書
【補正対象項目名】０００６
【補正方法】変更
【補正の内容】
【０００６】
第１考案のカレンダーは、カレンダー用紙部と、その一端部を固定した綴じ代部２とからなり、前記カレンダー用紙部は複数枚のカレンダー用紙からなり、前記カレンダー用紙部の裏面には、贈呈表示デザインが付されていることを特徴とする。
第２考案のカレンダーは、第１考案において、前記贈呈表示デザインが、リボンを表示するものであることを特徴とする。
第３考案のカレンダーは、第１考案において、前記贈呈表示デザインが、水引きを表示するものであることを特徴とする。